(57)【特許請求の範囲】
【請求項１】
前方に開口を有する筐体と、前記筐体に対して回動可能に取り付けられることで前記開口を開閉可能な状態で閉塞させる前扉本体と、前記前扉本体の表面に設けられた凹部と、前記凹部に設けられ照明光を照射する照明器具と、少なくとも一部が透明または半透明の部材によりパネル状に形成されて前記凹部を閉塞するとともに前記照明器具からの照明光を透過させることで表側に絵柄を表示する表示パネル部とを備える遊技機であって、
前記表示パネル部の裏面側に突設され、弾性変形により湾曲可能な突起部と、
前記凹部の壁面を貫通して形成され、前記突起部が挿入される突起部挿入孔と、
前記突起部の基端から所定間隔を置いて当該突起部の一面に形成され、当該突起部が前記突起部挿入孔に挿入された状態で前記前扉本体の裏面側における前記突起部挿入孔の第１の縁部に係止する第１の係止爪と、
弾性を有する材質で形成され、前記突起部の前記一面の反対側となる他面と前記突起部挿入孔の内壁との間の隙間に前記凹部の裏側から挿入する挿入部を先端側に有し、前記挿入部の挿入方向に対して直交する方向に指挿入孔が形成されたつまみ部を基端側に有する抜止ロック部材とを備え、
前記抜止ロック部材の挿入部は、当該挿入部が前記突起部の他面と前記突起部挿入孔の内壁との間の隙間に挿入された状態で前記前扉本体の表面側における前記突起部挿入孔の第２の縁部に係止する第２の係止爪を有し、
前記抜止ロック部材は、前記第１の係止爪が前記第１の縁部に係止した状態で前記挿入部が前記隙間に挿入することで、前記突起部に対して、前記第１の係止爪の前記係止を解除する側への湾曲を抑制し、
前記突起部は、前記第２の係止爪が前記第２の縁部に係止した状態で、前記抜止ロック部材に対して、前記第２の係止爪の前記係止を解除する側への湾曲を抑制する
ことを特徴とする遊技機。
【請求項２】
前方に開口を有する矩形状の筐体と、前記筐体内の上段側に設置され回転することで周面の図柄を変動表示させる円筒状のリールが複数並設されるリール装置と、前記リールの回転動作を操作するための操作手段が配置され前記筐体に対して回動可能に取り付けられることで前記開口を開閉可能な状態で閉塞させる前扉本体と、前記前扉本体の表面の下段側に設けられた凹部と、前記凹部に設けられ照明光を照射する照明器具と、少なくとも一部が透明または半透明の部材によりパネル状に形成されて前記凹部を閉塞するとともに前記照明器具からの照明光を透過させることで表側に絵柄を表示する表示パネル部とを備える遊技機であって、
前記表示パネル部の裏面側に突設され、弾性変形により湾曲可能な突起部と、
前記凹部の壁面を貫通して形成され、前記突起部が挿入される突起部挿入孔と、
前記突起部の基端から所定間隔を置いて当該突起部の一面に形成され、当該突起部が前記突起部挿入孔に挿入された状態で前記前扉本体の裏面側における前記突起部挿入孔の第１の縁部に係止する第１の係止爪と、
弾性を有する材質で形成され、前記突起部の前記一面の反対側となる他面と前記突起部挿入孔の内壁との間の隙間に前記凹部の裏側から挿入する挿入部を先端側に有し、前記挿入部の挿入方向に対して直交する方向に指挿入孔が形成されたつまみ部を基端側に有する抜止ロック部材とを備え、
前記抜止ロック部材の挿入部は、当該挿入部が前記突起部の他面と前記突起部挿入孔の内壁との間の隙間に挿入された状態で前記前扉本体の表面側における前記突起部挿入孔の第２の縁部に係止する第２の係止爪を有し、
前記抜止ロック部材は、前記第１の係止爪が前記第１の縁部に係止した状態で前記挿入部が前記隙間に挿入することで、前記突起部に対して、前記第１の係止爪の前記係止を解除する側への湾曲を抑制し、
前記突起部は、前記第２の係止爪が前記第２の縁部に係止した状態で、前記抜止ロック部材に対して、前記第２の係止爪の前記係止を解除する側への湾曲を抑制する
ことを特徴とする遊技機。
【請求項３】
前記抜止ロック部材は、前記第１の係止爪が前記第１の縁部に係止し、かつ、前記第２の係止爪が前記第２の縁部に係止した状態で、前記突起部が挿入され、前記突起部の周囲を囲む壁部を備えた突起部保持部を有する
ことを特徴とする請求項１または２に記載の遊技機。
【発明の詳細な説明】
【技術分野】
【０００１】
本発明は、照明器具からの照明光を透過させることで表側に絵柄を表示する表示パネル部を備える遊技機に関するものである。
【背景技術】
【０００２】
従来、スロットマシンは、例えば特許文献１に記載されているように、略矩形状の箱体である筐体と、当該筐体に開閉可能に取り付けられた前扉（フロントドア）とを備えている。
【０００３】
前扉の前面側は、上部パネル部と下部パネル部に略区分けされ、これらは視覚効果を高めてデザインされたいわゆる化粧板として、硬質プラスチックにより形成されている。
【０００４】
前記下部パネル部には、ゲーム内容やスロットマシンのモデルタイプを遊技者へ認識させる等のため、登場キャラクターの絵などを表示する表示パネル部が設けられている。そして前記前扉の基本構成となる前扉本体の前記表示パネル部の裏側には蛍光灯等の照明器具を配置する照明器具収納部が設けられている。スロットマシンは、当該照明器具収納部に設けられている照明器具によって表示パネル部を裏面照明することにより、視覚効果を高めた表示を行うようになっている。
【０００５】
ここで、前記照明器具収納部の壁面には照明器具の配線を前扉本体の裏側へ通す孔が設けられているが、この孔から筐体内部に不正器具が挿入される可能性があるため、前記照明器具収納部には係止爪による係止により表示パネル部を取り付けている。この係止爪による係止は人間の指や一般的な工具では前扉本体の裏側からしか外せないようにしており、当該筐体に前扉本体を施錠した状態で表示パネル部が外されるのを防止している。
【０００６】
【特許文献１】特開２００４−２３００２４号公報
【発明の開示】
【発明が解決しようとする課題】
【０００７】
しかしながら、上述した従来のスロットマシンによれば、筐体に前扉を施錠した状態で人間の指や一般的な工具で表示パネル部が外されるのを防止できるが、不正行為者により前扉本体と表示パネル部の隙間から薄型の不正器具が挿入されて係止爪による係止が解除され、これにより前扉本体から表示パネル部が外され、照明器具収納部の配線用の孔から内部部品用の不正器具が挿入されてスロットマシンの内部部品に対して不正行為が行われる可能性があった。
【０００８】
本発明は、こうした従来の問題に鑑みてなされたものであり、筐体に前扉本体を施錠した状態で前扉本体と表示パネル部の隙間から薄型の不正器具が挿入されて前扉本体から表示パネル部が外されるのを防止する等が可能な遊技機を提供することを目的としている。
【課題を解決するための手段】
【０００９】
上述した課題を解決するため、請求項１に記載の発明は、前方に開口を有する筐体と、前記筐体に対して回動可能に取り付けられることで前記開口を開閉可能な状態で閉塞させる前扉本体と、前記前扉本体の表面に設けられた凹部と、前記凹部に設けられ照明光を照射する照明器具と、少なくとも一部が透明または半透明の部材によりパネル状に形成されて前記凹部を閉塞するとともに前記照明器具からの照明光を透過させることで表側に絵柄を表示する表示パネル部とを備える遊技機であって、前記表示パネル部の裏面側に突設され、弾性変形により湾曲可能な突起部と、前記凹部の壁面を貫通して形成され、前記突起部が挿入される突起部挿入孔と、前記突起部の基端から所定間隔を置いて当該突起部の一面に形成され、当該突起部が前記突起部挿入孔に挿入された状態で前記前扉本体の裏面側における前記突起部挿入孔の第１の縁部に係止する第１の係止爪と、弾性を有する材質で形成され、前記突起部の前記一面の反対側となる他面と前記突起部挿入孔の内壁との間の隙間に前記凹部の裏側から挿入する挿入部を先端側に有し、前記挿入部の挿入方向に対して直交する方向に指挿入孔が形成されたつまみ部を基端側に有する抜止ロック部材とを備え、前記抜止ロック部材の挿入部は、当該挿入部が前記突起部の他面と前記突起部挿入孔の内壁との間の隙間に挿入された状態で前記前扉本体の表面側における前記突起部挿入孔の第２の縁部に係止する第２の係止爪を有し、前記抜止ロック部材は、前記第１の係止爪が前記第１の縁部に係止した状態で前記挿入部が前記隙間に挿入することで、前記突起部に対して、前記第１の係止爪の前記係止を解除する側への湾曲を抑制し、前記突起部は、前記第２の係止爪が前記第２の縁部に係止した状態で、前記抜止ロック部材に対して、前記第２の係止爪の前記係止を解除する側への湾曲を抑制することを特徴とする。
【００１０】
請求項２に記載の発明は、前方に開口を有する矩形状の筐体と、前記筐体内の上段側に設置され回転することで周面の図柄を変動表示させる円筒状のリールが複数並設されるリール装置と、前記リールの回転動作を操作するための操作手段が配置され前記筐体に対して回動可能に取り付けられることで前記開口を開閉可能な状態で閉塞させる前扉本体と、前記前扉本体の表面の下段側に設けられた凹部と、前記凹部に設けられ照明光を照射する照明器具と、少なくとも一部が透明または半透明の部材によりパネル状に形成されて前記凹部を閉塞するとともに前記照明器具からの照明光を透過させることで表側に絵柄を表示する表示パネル部とを備える遊技機であって、前記表示パネル部の裏面側に突設され、弾性変形により湾曲可能な突起部と、前記凹部の壁面を貫通して形成され、前記突起部が挿入される突起部挿入孔と、前記突起部の基端から所定間隔を置いて当該突起部の一面に形成され、当該突起部が前記突起部挿入孔に挿入された状態で前記前扉本体の裏面側における前記突起部挿入孔の第１の縁部に係止する第１の係止爪と、弾性を有する材質で形成され、前記突起部の前記一面の反対側となる他面と前記突起部挿入孔の内壁との間の隙間に前記凹部の裏側から挿入する挿入部を先端側に有し、前記挿入部の挿入方向に対して直交する方向に指挿入孔が形成されたつまみ部を基端側に有する抜止ロック部材とを備え、前記抜止ロック部材の挿入部は、当該挿入部が前記突起部の他面と前記突起部挿入孔の内壁との間の隙間に挿入された状態で前記前扉本体の表面側における前記突起部挿入孔の第２の縁部に係止する第２の係止爪を有し、前記抜止ロック部材は、前記第１の係止爪が前記第１の縁部に係止した状態で前記挿入部が前記隙間に挿入することで、前記突起部に対して、前記第１の係止爪の前記係止を解除する側への湾曲を抑制し、前記突起部は、前記第２の係止爪が前記第２の縁部に係止した状態で、前記抜止ロック部材に対して、前記第２の係止爪の前記係止を解除する側への湾曲を抑制することを特徴とする。
【００１１】
請求項３の遊技機は、請求項１または２に記載の遊技機であって、前記抜止ロック部材は、前記第１の係止爪が前記第１の縁部に係止し、かつ、前記第２の係止爪が前記第２の縁部に係止した状態で、前記突起部が挿入され、前記突起部の周囲を囲む壁部を備えた突起部保持部を有することを特徴とする。
【発明の効果】
【００１５】
本発明の遊技機によれば、筐体に前扉本体を施錠した状態で前扉本体と表示パネル部の隙間から薄型の不正器具が挿入されて前扉本体から表示パネル部が外されるのを防止することができ、公平な遊技を提供する等を行える。
【発明を実施するための最良の形態】
【００１６】
以下、本発明に係る遊技機の好適な一実施形態をスロットマシンを例に図面を参照して説明する。なお、図１はスロットマシン１の外観構造を表した斜視図である。図２は前扉３を開放した状態におけるスロットマシン１の内部構造を表した図である。図３はスロットマシン１の制御システムを表したブロック図である。
【００１７】
図１において、スロットマシン１は、前方に開口を有する略矩形状の箱体である筐体２と、当該筐体２に対して蝶番機構により回動可能に取り付けられることで前記開口を開閉可能な状態で閉塞させる前扉３とを備えている。
【００１８】
前扉３の前面側は、上部パネル部４と下部パネル部５に略区分けされ、これらは視覚効果を高めてデザインされたいわゆる化粧板として、硬質プラスチックにより一体的に形成されている。更に、下部パネル部５の下方には、入賞時に払い出されるメダル（遊技媒体）を貯留する受皿部６ａが一体的に形成された受皿ユニット６が設けられている。
【００１９】
また、上部パネル部４と下部パネル部５との間には、遊技者側に突出し、ゲーム操作を行うためのスイッチ類が配置されている操作卓７が一体的に形成されている。なお、上部パネル部４、操作卓７、下部パネル部５、及び受皿ユニット６は、遊技者側に面し、これらによって「前面パネル部」が構成される。
【００２０】
上部パネル部４の中央には、硬質プラスチック板等で形成されたパネル面４１が設けられている。パネル面４１のほぼ中央には略長方形の透明な表示窓４２が形成され、表示窓４２を通して筐体２内に設けられているリールユニット１００の３個のリール１０１ａ、１０１ｂ、１０１ｃが目視される。
【００２１】
ここで、筐体２内に設置されているリールユニット１００は、円筒形状のリール１０１ａ、１０１ｂ、１０１ｃがそれぞれ回転軸方向に並べられ、各リール１０１ａ、１０１ｂ、１０１ｃの外周面にはその周方向に沿って複数種類の図柄が描かれている。遊技者は、表示窓４２を通して３列のリールに描かれたそれぞれ上下方向３個の図柄を目視できるようになっている。
【００２２】
また、パネル面４１には、裏面側に設けられている図示しないランプを点灯させることで例えば入賞役への内部当選など遊技状態に関する情報を演出表示する遊技状態表示部４３と、これと同様にランプを点灯させることで遊技操作のアシストに関する情報を表示する操作アシスト表示部４４と、スロットマシン１にクレジット（貯留）されているメダル数や、入賞によって獲得したメダル数、又は入賞役への当選回数等の情報を数値表示する数値情報表示部４５が、それぞれ表示窓４２の周辺に設けられている。
【００２３】
上部パネル部４の上部には、高輝度発光ダイオード等のランプ類を内蔵する中央及び左右の演出用照明部４６、４７ａ、４７ｂと、ゲームに係る効果音を発生させるスピーカを内蔵する演出用放音部４８ａ、４８ｂが配置されている。
【００２４】
スロットマシン１は、ゲームの進行に応じて上述した複数の演出用照明部４６、４７ａ、４７ｂ等が点灯又は点滅することで、ゲームにおける視覚的な演出効果を高めるように形成されている。
【００２５】
また、演出用放音部４８ａ、４８ｂの間には、透明な硬質プラスチック板等が嵌め込まれて形成された表示窓４９ａに面して遊技機の演出装置として液晶表示装置４９が配置されている。なお、液晶表示装置４９は、ゲームの演出に係る映像やゲーム（遊技）に関する情報を主に表示する。
【００２６】
操作卓７の上面右側にはメダル投入部７１が設けられている。メダル投入部７１はメダルを投入するためのメダル投入口７２を有する。また、当該上面の左側には、押しボタンスイッチである２個のベットボタン７３、７４が設けられている。
【００２７】
ベットボタン７３、７４はスロットマシンの１ゲームに賭けるメダルの枚数を提示するためのボタンスイッチである。本スロットマシン１においては、ゲームを開始する際に、ベットボタン７３が押圧操作されることで、貯留されているメダルから１枚のメダルがゲームに対して賭けられる。同様に、ベットボタン７４が押圧操作されることで３枚の当該ゲームにメダルが賭けられる。なお、ベットボタン７４は、最大枚数のメダルを賭けることから、特に「マックスベットボタン」と呼ばれている。
【００２８】
操作卓７の前面左側には、リール１０１ａ、１０１ｂ、１０１ｃの回転開始を指示するためのスタートレバー７５が設けられている。スタートレバー７５は、先端に球形の操作ノブを有する揺動可能な操作桿を備え、操作桿が傾倒操作されるとオン、操作桿から手が離されるとスプリングの付勢力によって自動的に元の位置に戻ってオフ状態となるスイッチユニットで形成されている。
【００２９】
また、操作卓７の中央には、各リール１０１ａ、１０１ｂ、１０１ｃの回転停止をそれぞれ指示するためのストップボタン７６ａ、７６ｂ、７６ｃが各リールの配列に対応して並設されている。
【００３０】
さらに、操作卓７の前面の左隅には、ゲームに賭けられたメダルをキャンセルして払い出させることを指示するとともに、後述するメダルクレジット手段２０３（図３参照）が内部貯留したメダルを精算して払い出させることを指示するための精算ボタン７７が設けられている。
【００３１】
操作卓７の前面右側には、前扉３を開錠するための鍵が挿入される鍵穴７８が設けられている。スロットマシン１の管理者等が鍵穴７８に所定の鍵を挿入して開錠操作すると、蝶番機構によって筐体２に取り付けられている前扉３を前方へ開くことができ、また前扉３を筐体２側に閉じると、自動的にこれらを施錠するようになっている。
【００３２】
下部パネル部５には、スロットマシン１のモデルタイプを遊技者へ認識させる等のため、登場キャラクターの絵などを表示する表示パネル５１が設けられている。表示パネル５１の左右両脇には、左右の演出用照明部５２ａ、５２ｂが設けられている。ここで、表示パネル５１及び左右の演出用照明部５２ａ、５２ｂのランプカバー３５２ａ、３５２ｂは、表示パネル部３５０によって前扉３の基本構造となる前扉本体３００に取り付けられている。
【００３３】
下部パネル部５の下側に配置された受皿ユニット６には、入賞時にメダルを排出するメダル払出口６１と、払い出されたメダルを貯留する受皿部６ａと、演出効果音を発生させるスピーカを内蔵する左右の演出用放音部６２ａ、６２ｂがそれぞれ配置されている。
【００３４】
次に、図２を参照して、筐体２の内部構造と前扉３の裏面構造とを説明する。
【００３５】
図２において、筐体２の前方には開口８を有している。この開口８内の上部には、硬質プラスチックの基板ケース２１０に収納された主制御基板２０が取り付けられている。主制御基板２０は、スロットマシン１の全体動作を集中制御するＣＰＵ（マイコン）を備えている。
【００３６】
筐体２内の中央には、リール１０１ａ、１０１ｂ、１０１ｃを備えるリールユニット１００が設けられている。リールユニット１００は、前扉３が筐体２側に閉じられると前扉３の表示窓４２にリール１０１ａ、１０１ｂ、１０１ｃが対向するように、所定フレームに位置決めされて取り付けられている。なお、各リール１０１ａ、１０１ｂ、１０１ｃは、それぞれに内蔵されたステッピングモータによって回転駆動される。
【００３７】
また、リールユニット１００の上部には、各リールを回転駆動する上記ステッピングモータへ４相の駆動パルス信号を送出する回胴装置基板が取り付けられており、主制御基板２０が回胴装置基板に回胴駆動（励磁）パルスデータを送出することで、各リールの回転と制動及び停止の制御を行っている。
【００３８】
リールユニット１００の下方には、ホッパ装置２１と、ホッパ装置２１から溢れたメダルを収容するための補助貯留部２２と、主電源装置２３が設けられている。主電源装置２３の内部の右側には、いわゆる配電盤に相当する電源装置基板２４が設けられている。更に、筐体２の上部右側の内壁に、遊技場に設置されている「ホールコンピュータ」と呼ばれる管理用コンピュータと接続可能な外部集中端子基板２５が取り付けられている。
【００３９】
次に、前扉３の裏面側上部には、発光駆動部３０、３１ａ、３１ｂが配置されている。発光駆動部３０、３１ａ、３１ｂは、それぞれ演出用照明部４６、４７ａ、４７ｂの光源である高輝度の発光ダイオードが複数配列され、この発光ダイオードを発光駆動する駆動回路が実装されている。
【００４０】
また、前扉３の裏面側上部には、上述の演出用放音部４８ａ、４８ｂに対向してスピーカ３２ａ、３２ｂが取り付けられている。また、スピーカ３２ａ、３２ｂの間には、液晶表示装置４９が取り付けられている。更に、液晶表示装置４９の裏面側には、電気回路基板で形成され硬質プラスチックの基板ケース２２０に収納されたサブ制御基板４０が取り付けられている。
【００４１】
主制御基板２０及びサブ制御基板４０は、スロットマシン１の作動を制御する制御基板である。
【００４２】
サブ制御基板４０の下方には、リール１０１ａ、１０１ｂ、１０１ｃを目視させるための透明な表示窓４２が形成されたパネル板５０が配置され、表示窓４２の下方には、前面側のスタートレバー７５（図１参照）及びストップボタン７６ａ、７６ｂ、７６ｃ（図１参照）等の操作スイッチ類の出力信号を主制御基板２０へ転送する中継基板として機能する中央表示基板３３が設けられている。
【００４３】
中央表示基板３３の下方には、メダル選別装置３４が取り付けられている。メダル選別装置３４は、メダル投入部７１に投入されたメダルの適否を判別し振り分ける装置である。また、メダル選別装置３４はメダルセンサを内蔵しており、ゲームの待機状態等において正規のメダルが投入され、メダルセンサがこのメダルを検出することによって、メダル投入の受け付けを示す信号を主制御基板２０へ送出する。
【００４４】
メダル選別装置３４の装置本体の下方には、メダル選別装置３４によって振り分けられた正規のメダルを筐体２内に設けられているホッパ装置２１へ案内するガイド部材３５と、メダル選別装置３４により排除されたメダル（又は異物）をメダル排出口６１へ案内するガイド部材３６が設けられている。また、前扉３の裏面側下部には、ホッパ装置２１から排出されたメダルをメダル排出口６１へ案内するガイド部材３７が設けられている。更に、メダル排出口６１に隣接して、上述した演出用放音部６２ａ、６２ｂに対向するスピーカ３８ａ、３８ｂが取り付けられている。
【００４５】
なお、スロットマシン１全体の動作は、筐体２側に設けられている主制御基板２０によって統括制御されており、サブ制御基板４０は、液晶表示装置４９による演出映像の表示制御、及び演出用放音部４８ａ、４８ｂ、６２ａ、６２ｂのスピーカ３２ａ、３２ｂ、３８ａ、３８ｂを使った演出効果音制御など、ゲームの演出に係る制御を主に行っている。
【００４６】
また、前扉３の裏面側上部には、図１に示した表示パネル５１のバックライトとなる放電灯３１１、３１２（図４参照）に高周波電圧を印加して放電灯３１１、３１２（図４参照）を点灯させる放電灯点灯装置３９が設けられている。放電灯点灯装置３９は、主電源装置２３からの電力が主制御基板２０及び中央表示基板３３を介して供給され、この供給された電力に高周波電圧を発生して、配線３２０（図４に示す配線３２０ａ、３２０ｂ、３２０ｃ、３２０ｄ）を介して後述する放電灯３１１、３１２（図４参照）に印加するようになっている。この配線３２０は、放電灯点灯装置３９の近傍に形成された孔２２１を介して前扉３の表側の放電灯３１１、３１２（図４参照）に接続するようになっている。
【００４７】
次に、図３のブロック図を参照して、スロットマシン１に設けられている制御システムについて説明する。
【００４８】
図３において、主制御基板２０は、ＣＰＵ２００と、記憶部２０１とを備えている。
【００４９】
記憶部２０１は、ＲＯＭ、ＲＡＭ等の半導体メモリによって構成され、スロットマシンゲーム用のシステムプログラム２０２が予め記憶されている。主制御基板２０は、記憶部２０１に記憶されたシステムプログラム２０２に従ってＣＰＵ２００が演算処理を実行することで、スロットマシン１全体の動作を統括制御している。
【００５０】
また、記憶部２０１にはメダルクレジット手段２０３が設けられている。メダルクレジット手段２０３はスロットマシン１が内部貯留するメダルの数であるクレジットをメモリに記憶する。
【００５１】
主制御基板２０には、ベットボタン７３、７４、スタートレバー７５、ストップボタン７６ａ、７６ｂ、７６ｃ、精算ボタン７７等の操作スイッチ類、メダル選別装置３４のメダルセンサ３４ａ、ホッパ装置２１等のメダル払出装置、及びサブ制御基板４０等がハーネスを介して接続されている。
【００５２】
主制御基板２０は、前記操作スイッチ類やメダル選別装置３４のメダルセンサ３４ａからの出力信号によりゲームに係る操作を検出する。
【００５３】
主制御基板２０は、動作モードがメダルベット待機状態となっている場合において、メダルセンサ３４ａがメダルを検出した場合、検出したメダルをゲームの賭数に加算する。
【００５４】
また、主制御基板２０は、動作モードがメダルクレジット入力待機状態となっている場合において、メダルセンサ３４ａがメダルを検出した場合、検出したメダルをメダルクレジット手段２０３のクレジットに加算する。ここで、メダルベット待機状態とは、１つのゲームが終了した後、当該ゲームにメダルが賭けられるのを待機している状態のことを示している。メダルクレジット入力待機状態とは、当該ゲームにメダルが賭けられた後、メダルクレジット手段２０３の前記クレジット数が最大値（５０）になるまでの状態のことを示している。
【００５５】
主制御基板２０は、各リール１０１ａ、１０１ｂ、１０１ｃに設けられる基準位置センサ１２０ａ、１２０ｂ、１２０ｃの検出信号を入力し、各リールの基準となる回転位置を把握しながら、回胴装置基板１３０に所定の回胴駆動パルスデータを送出する。回胴装置基板１３０は、主制御基板２０からの回胴駆動パルスデータに従って各ステッピングモータ１１０ａ、１１０ｂ、１１０ｃを回転駆動することで、各リール１０１ａ、１０１ｂ、１０１ｃの回転及び停止の動作制御を行っている。
【００５６】
主制御基板２０は、入賞が確定した場合等において、ホッパ装置２１を制御することで、所定数のメダルを受皿部６ａに払い出す。
【００５７】
また、主制御基板２０は、精算ボタン７７が操作された場合、ゲームに賭けられたメダルをキャンセルしてホッパ装置２１に払い出させるとともに、メダルクレジット手段２０３（図３参照）が内部貯留したメダルを精算してホッパ装置２１に精算前のクレジット数のメダルを払い出させる。
【００５８】
サブ制御基板４０は、主制御基板２０からの制御信号に基づいて液晶表示装置４９（図１参照）、演出用照明部４６、４７ａ、４７ｂ、５２ａ、５２ｂ（図１参照）、演出用放音部４８ａ、４８ｂ、６２ａ、６２ｂ（図１参照）のスピーカ３２ａ、３２ｂ、３８ａ、３８ｂ等の演出装置２３０を制御駆動することで、遊技者の視覚や聴覚に訴える演出をゲームの進行に応じて行っている。
【００５９】
一方、主制御基板２０の記憶部２０１には、入賞抽選テーブル２０４及び内部抽選フラグ２０５が記憶されている。例えばＣＰＵ２００は、スタートレバー７５の操作を検出した時点で図示しない乱数発生装置から乱数値を取得し、入賞抽選テーブル２０４を参照することで、得られた乱数値に割り当てられた入賞役またはハズレを抽選する。そして、ＣＰＵ２００は、乱数値に対応する入賞役が存在すると、それを当該ゲームの入賞役として抽選結果を当選にし、当該入賞役を記憶部２０１の内部抽選フラグ２０５に記憶する。ここでは、かかる入賞役の抽選方法を「内部抽選」と呼んでいる。
【００６０】
次に、スロットマシン１におけるゲーム動作の概要を説明する。
【００６１】
スロットマシン１は、先のゲームにおいて入賞しメダルの配当が完了した時、又は先のゲームにおいてハズレが確定すると待機状態となる。この待機状態においては、当該状態を遊技者に示唆するとともにゲーム操作を促す待機モードの演出が液晶表示装置４９等によって行われる。次に、遊技者がメダル投入部７１にメダルを投入し、もしくは、何れかのベットボタン７３、７４を押圧操作することで、スロットマシン１は、内部に貯留したメダル（クレジット）から当該ゲームに所定枚数のメダルが賭けられゲームを準備する。
【００６２】
ゲーム準備の状態でスタートレバー７５が傾倒操作されゲームが開始されると、主制御基板２０は、３個のリール１０１ａ、１０１ｂ、１０１ｃを一斉に回転させ始めるとともに、上述した内部抽選を実行する。内部抽選の結果は、内部抽選フラグ２０５に記憶される。
【００６３】
次に、遊技者により何れかのストップボタン７６ａ、７６ｂ、７６ｃが押圧操作されることで、リール１０１ａ、１０１ｂ、１０１ｃが停止し、主制御基板２０は、停止した各リールが表示する図柄と上述の内部抽選フラグ２０５に対応する入賞役に係る図柄の組合せとが一致しているかどうか判定する。
【００６４】
これら図柄の組合せが一致し役への入賞が確定すると、スロットマシン１は、主制御基板２０によりメダルクレジット手段２０３の制御を行い、内部貯留しているメダルのクレジット数が所定の数になるまで、当該役の種類に応じて予め決められた配当数のメダルをクレジット数に加算する。さらに、スロットマシン１は、前記配当数と前記クレジット数の加算結果が前記所定の数を超過すると、この超過した数のメダルを受皿部６ａへ払い出す。
【００６５】
次に、図４乃至図１４を参照して本実施形態の要部となる下部パネル部５について説明する。
【００６６】
図４は表側から見た下部パネル部５及びその周辺部の分解斜視図である。図５は下部パネル部５の裏側から見た突起部挿入孔３３２及びその周辺部の分解斜視図である。図６は下部パネル部５の裏側から見た突起部挿入孔３３２及びその周辺部の背面図である。図７は抜止ロック部材４０１の斜視図である。図８は抜止ロック部材４０１の断面図である。図９は下部パネル部５の裏側から見た突起部挿入孔３３２及びその周辺部の突起部を挿入した直後の状態を示す斜視図である。図１０は下部パネル部５の突起部挿入孔３３２及びその周辺部の抜止ロック部材４０１を取り付けた状態を示す斜視図である。図１１は突起部挿入孔３３２に抜止ロック部材４０１を取り付ける方法を示す説明図である。図１２は下部パネル部５の突起部挿入孔３３２及びその周辺部の抜止ロック部材４０１を取り付けた状態を示す断面図である。図１３は下部パネル部５の突起部挿入孔３３２から抜止ロック部材４０１を引き抜いている状態を示す断面図である。下部パネル部５の突起部挿入孔３３２及びその周辺部の突起部３７１を押し下げた状態の断面図である。図１４は下部パネル部５の突起部挿入孔３３２及びその周辺部の突起部３７１を押し下げた状態の断面図である。
【００６７】
尚、図４乃至図１４を用いた説明において、各部材の左側及び右側はそれぞれスロットマシン１の前面側から見た場合の左側及び右側を示しており、背面側から見た図５、図６、図９、図１０では、図面に向かって左側が各部材の右側になっている。
【００６８】
図４において、前扉３は基本構造となる前扉本体３００に前記表示パネル部３５０等の部材を取り付けたものである。
【００６９】
前扉本体３００は、前記リール１０１ａ、１０１ｂ、１０１ｃ（図１参照）の回転動作を操作するための操作手段（図１に示したスタートレバー７５、ストップボタン７６ａ、７６ｂ、７６ｃ）が配置され、前記筐体２（図１参照）に対して回動可能に取り付けられる前記筐体２の開口８（図２参照）を開閉可能な状態で閉塞させている。
【００７０】
前記前扉本体３００の表面の下段側には表示パネル５１用の照明器具収納部としての凹部３０１が設けられている。
【００７１】
凹部３０１には、放電灯３１１、３１２が取り付け金具３１３、３１４、３１５、３１６を介して取り付けられている。
【００７２】
放電灯３１１の一端及び他端からはそれぞれ配線３２０ａ、３２０ｂが延出しており、配線３２０ａ、３２０ｂは、凹部３０１の奥壁に形成された孔２２１を介して凹部３０１の裏側に配置した放電灯点灯装置３９（図２参照）と電気的に接続するようになっている。
【００７３】
同様に、放電灯３１２の一端及び他端からはそれぞれ配線３２０ｃ、３２０ｄが延出しており、配線３２０ｃ、３２０ｄは、孔２２１を介して放電灯点灯装置３９（図２参照）と電気的に接続するようになっている。
【００７４】
このような構造により、放電灯３１１、３１２は、前記凹部３０１に設けられ照明光を照射する照明器具となっている。
【００７５】
前記凹部３０１の左右両脇には、縦長の凹部３２１ａ、３２１ｂが設けられている。凹部３２１ａ、３２１ｂは、演出用照明部５２ａ、５２ｂ（図１参照）用の照明器具収納部となっている。即ち、凹部３２１ａ、３２１ｂには、照明器具として発光ダイオードを実装した配線基板３２２ａ、３２２ｂが配置されている。配線基板３２２ａ、３２２ｂは、前扉３の裏側からハーネスを介してサブ制御基板４０に接続されており、サブ制御基板４０からの電力及び制御信号の供給により実装した発光ダイオードを点灯させる。
【００７６】
前記前扉本体３００の前記凹部３０１、３２１ａ、３２１ｂが形成された領域は、表示パネル部３５０によって覆われるようになっている。
【００７７】
表示パネル部３５０は、表示パネル５１と、枠部材３５１と、ランプカバー３５２ａ、３５２ｂとから構成されている。
【００７８】
表示パネル５１は、前側保護パネル３５３と後側保護パネル３５５の間に絵柄印刷パネル３５４を挟み込んだものである。
【００７９】
前側保護パネル３５３と後側保護パネル３５５は、透明の樹脂をパネル状に形成したものである。
【００８０】
絵柄印刷パネル３５４は、透明樹脂のパネルの裏面に登場キャラクターの絵３５６やスロットマシン１の商品名３５７を不透明及び半透明の塗料で印刷したものである。
【００８１】
枠部材３５１には、開口部３６１が設けられており、開口部３６１に表示パネル５１が嵌め込まれ、ネジ止め固定されるようになっている。
【００８２】
枠部材３５１の開口部３６１の左脇には、上下の開口部３６２ａ、３６３ａが形成されている。左側のランプカバー３５２ａは、上下の開口部３６２ａ、３６３ａを正面側から覆った状態で枠部材３５１にネジ止め固定されるようになっている。
【００８３】
ランプカバー３５２ａと配線基板３２２ａは、図１に示した左の演出用照明部５２ａを構成している。
【００８４】
図４において、枠部材３５１の開口部３６１の右脇には、上下の開口部３６２ｂ、３６３ｂが形成されている。右側のランプカバー３５２ｂは、上下の開口部３６２ｂ、３６３ｂを正面側から覆った状態で枠部材３５１にネジ止め固定される。
【００８５】
ランプカバー３５２ｂと配線基板３２２ｂは、図１に示した右の演出用照明部５２ｂを構成している。
【００８６】
図４において、枠部材３５１の裏面側における開口部３６１の左下、下側中央、右下には先端を下方に向けたＬ字状の複数のフック部の列による係止部３６４、３６５、３６６がそれぞれ枠部材３５１と一体形成で設けられている。
【００８７】
一方、前記前扉本体３００には、前記凹部３０１の下側の壁面を貫通して係止部挿入孔３２３、３２４、３２５が形成されている。前記枠部材３５１の係止部３６４、３６５、３６６は、前記係止部挿入孔３２３、３２４、３２５に挿入し、前記前扉本体３００の裏面側における前記係止部挿入孔３２３、３２４、３２５の下側の縁部に係止する。
【００８８】
枠部材３５１の裏面側における左上及び右上の位置には、それぞれ突起部３７１、３７２が突設されている。
【００８９】
一方、前記前扉本体３００には、前記凹部３０１の壁面を貫通して左右の突起部挿入孔３３１、３３２が形成されている。突起部挿入孔３３１、３３２には、それぞれ前記突起部３７１、３７２が挿入されるようになっている。
【００９０】
前記突起部３７１、３７２は、その基端から所定間隔を置いて係止爪３７３、３７４が上方に向けて形成されている。
【００９１】
係止爪３７３、３７４は、前記突起部３７１、３７２の上面３７５（図５参照）に形成され、前記突起部３７１、３７２が突起部挿入孔３３１、３３２に挿入された状態で前記前扉本体３００の裏面側における前記突起部挿入孔３３１、３３２の縁部３３７（図５参照）に係止する。
【００９２】
このような構造により、表示パネル部３５０は、少なくとも一部が透明または半透明の部材によりパネル状に形成されて前記凹部３０１を閉塞するとともに前記照明器具（放電灯３１１、３１２）からの照明光を透過させることで表側に絵柄を表示するようになっている。
【００９３】
以下、突起部３７２、突起部挿入孔３３２及びその周辺部について詳細に説明する。
【００９４】
図５において、突起部挿入孔３３２の周りには前記前扉本体３００の裏面を突出させて段部３３３が形成されている。突起部挿入孔３３２の上下の中間位置から下側には凹部３０１の裏面側となる傾斜面３３４（図６参照）が形成されている。
【００９５】
抜止ロック部材４０１は、例えば天然ゴム等の弾性を有する材質で形成され、前記突起部３７２の下面３７６（図１１参照）と突起部挿入孔３３２の下側内壁３３５との間の隙間３３６（図９及び図１１参照）に前記凹部３０１（図４参照）の裏側から挿入する挿入部４０２を先端側に有するとともに、指挿入孔４４０が形成されたつまみ部４０４を基端側に有する。
【００９６】
図７において、抜止ロック部材４０１は、先端側から順に挿入部４０２、突起部保持部４０３及びつまみ部４０４を一体で形成したものである。挿入部４０２は、板状に形成され、上面に挿入を容易にするための傾斜面４１１を有している。挿入部４０２の先端側の左右にも、挿入を容易にするための傾斜面４１２、４１３が形成されている。挿入部４０２の下面には、その基端から所定間隔を置いて係止爪４１４（図８参照）が下方に向けて形成されている。挿入部４０２の下面の係止爪４１４より基端側は突起部挿入孔３３２の下側内壁３３５が挿入される段部４１５が形成されている。係止爪４１４は、前記前扉本体３００の表面側における前記突起部挿入孔３３２の縁部３３８（図１２参照）に係止する。
【００９７】
突起部保持部４０３は上から見た外形が挿入部４０２より横長の長辺形形状で形成されている。突起部保持部４０３は、挿入部４０２の上面より上側に凹部４２１が形成されている。凹部４２１は、左右の側壁４２２、４２３及び後壁４２４によって囲まれ、表示パネル部３５０（図５参照）の突起部３７２（図５参照）が挿入可能になっている。突起部保持部４０３の先端面には、挿入部４０２から左右に所定間隔を置いて前方に突出する段部４２５、４２６が形成されている。左右の側壁４２２、４２３の先端面の上端にも、前方に突出する段部４２７、４２８がそれぞれ形成されている。左側の段部４２５と上側の段部４２７により囲まれる部分は、前扉本体３００（図５参照）の段部３３３（図５参照）の左側が挿入される段部挿入部４２９になっている。右側の段部４２６と上側の段部４２８により囲まれる部分は段部３３３（図５参照）の右側が挿入される段部挿入部４３０になっている。
【００９８】
突起部保持部４０３の背面下寄りには、つまみ部４０４が形成されている。
【００９９】
つまみ部４０４は上から見た外形が横長の略長辺形形状で形成されている。つまみ部４０４は、左右の側面及び底面が突起部保持部４０３の左右の側面及び底面と連続している。つまみ部４０４の上端は図８に示すように突起部保持部４０３の上端より下方に位置している。図５に示すようにつまみ部４０４の背面側左右両隅４４１、４４２は、円柱面状に湾曲した形状に形成されている。
【０１００】
また、つまみ部４０４は、前記挿入部４０２の挿入方向に対して直交する方向に貫通する指挿入孔４４０が形成されたつまみ部４０４を基端側に有する。
【０１０１】
指挿入孔４４０は、上から見た形状が横長の略長辺形形状で形成されている。
【０１０２】
指挿入孔４４０の左右内面及び後側内面の上隅４４３は、コーナーを円柱面状に湾曲させた形状に形成されている。これにより指挿入孔４４０の上側から指を挿入しやすくなっている。
【０１０３】
また、突起部保持部４０３は、つまみ部４０４より上側の背面側左右両隅４３１、４３２が円柱面状に湾曲した形状に形成されている。
【０１０４】
以上に示した構成により、表示パネル部３５０において、係止爪３７４は、前記突起部３７２の基端から所定間隔を置いて当該突起部３７２の一面に形成され、当該突起部３７２が前記突起部挿入孔３３２に挿入された状態で前記前扉本体３００の裏面側における前記突起部挿入孔３３２の縁部３３７に係止するようになっている。
【０１０５】
抜止ロック部材４０１は、弾性を有する材質で形成され、前記突起部３７２の前記一面（図５の上面３７５）の反対側となる他面（図１１の下面３７６）と突起部挿入孔３３２の下側内壁３３５との間の隙間３３６（図９及び図１１参照）に挿入される挿入部４０２を先端側に有し、前記係止爪３７４が前記段部３３３の縁部３３７に係止した状態で前記挿入部４０２が前記隙間３３６（図９及び図１１参照）に挿入することで、前記突起部３７２に対して、前記係止爪３７４の前記係止を解除する側への湾曲を抑制するとともに、前記挿入部４０２の挿入方向に対して直交する方向に指挿入孔４４０が形成されたつまみ部４０４を基端側に有する。
【０１０６】
また、前記抜止ロック部材４０１の挿入部４０２は、当該挿入部４０２が前記突起部３７２の他面と前記突起部挿入孔３３２の内壁との間の隙間３３６（図９参照）に挿入された状態で前記前扉本体３００の表面側における前記突起部挿入孔３３２の縁部３３８（図１２参照）に係止する係止爪４１４を備える。
【０１０７】
尚、突起部挿入孔３３１についても、突起部挿入孔３３２と同様に抜止ロック部材４０１を取り付け可能になっている。
【０１０８】
以下、前扉本体３００に前記表示パネル部３５０を取り付ける場合の作業を説明する。
【０１０９】
この場合、まず、作業者は、前扉本体３００が筐体２から開かれた状態で、図４に示す表示パネル部３５０の係止部３６４、３６５、３６６を、それぞれ前扉本体３００の係止部挿入孔３２３、３２４、３２５に挿入し、前扉本体３００の裏面側における前記係止部挿入孔３２３、３２４、３２５の下側の縁部にそれぞれ係止する。
【０１１０】
次に、作業者は、表示パネル部３５０の突起部３７１、３７２を前扉本体３００の突起部挿入孔３３１、３３２に挿入し、突起部３７１、３７２の係止爪３７３、３７４を前記前扉本体３００の裏面側における前記突起部挿入孔３３１、３３２の縁部３３７（図５、図９及び図１１参照）に係止させる。この状態では、図９に示すように、前記突起部３７２の下面と突起部挿入孔３３２の内壁との間の隙間３３６が発生する。
【０１１１】
次に、作業者は、図１１に示す抜止ロック部材４０１のつまみ部４０４を保持し、隙間３３６に抜止ロック部材４０１の挿入部４０２を挿入することで、図１０及び図１２に示すように、突起部挿入孔３３２に抜止ロック部材４０１を取り付ける。この状態では、図１２に示すように、挿入部４０２の下面の段部４１５に下側内壁３３５が挿入される。突起部保持部４０３の凹部４２１には、表示パネル部３５０の突起部３７２が挿入されている。突起部３７２の先端側は凹部４２１の底面により下側から支えられている。また、突起部保持部４０３の段部挿入部４２９、４３０（図７参照）には、段部３３３（図５参照）の左側及び右側が挿入される。
【０１１２】
この状態では、比較的弱い力で抜止ロック部材４０１を後方に引っ張ったとしても、突起部挿入孔３３２の縁部３３８に係止爪４１４が係止するため、突起部挿入孔３３２から抜止ロック部材４０１を外すことはできない。
【０１１３】
図４に示した前記突起部挿入孔３３１についても、突起部挿入孔３３２と同様の操作で抜止ロック部材４０１を取り付ける。この後、筐体２（図１参照）に取り付けられている前扉３を閉塞する。
【０１１４】
以下、前扉本体３００から前記表示パネル部３５０を取り外す場合の作業を説明する。
【０１１５】
ここで、前扉本体３００から前記表示パネル部３５０を外す場合には、スロットマシン１（図１参照）の管理者等が鍵穴７８（図１参照）に所定の鍵を挿入して開錠操作し、筐体２（図１参照）に取り付けられている前扉３を前方へ開き、作業者は、前扉本体３００の裏面から図１０に示す抜止ロック部材４０１のつまみ部４０４の指挿入孔４４０に上側から図１３に示すように作業者の指５００を挿入し、比較的強い力で引っ張ることで、抜止ロック部材４０１の挿入部４０２の係止爪４１４を弾性変形させ、突起部挿入孔３３２の縁部３３８に対する係止爪４１４の係止を解除し、隙間３３６から挿入部４０２を引き出すことで、突起部挿入孔３３２から抜止ロック部材４０１を取り外す。この後、前記突起部挿入孔３３１に取り付けられた抜止ロック部材４０１についても、突起部挿入孔３３２の場合と同様の操作で取り外す。この後、図１４に示すように、突起部３７２を下方に押し下げ、前記係止爪３７４を前記突起部挿入孔３３２の縁部３３７から外し、突起部挿入孔３３２から突起部３７２を引き抜くことで突起部挿入孔３３２に何も挿入されていない状態にする。突起部挿入孔３３１に挿入された突起部３７１に対しても突起部３７２と同様の操作を行い、突起部挿入孔３３１から突起部３７１を引き抜く。
【０１１６】
この後、図４に示す係止部挿入孔３２３、３２４、３２５から係止部３６４、３６５、３６６を外すことで、前記前扉本体３００から前記表示パネル部３５０を外す。
【０１１７】
かかる構成のスロットマシン１によれば、突起部挿入孔３３１、３３２に設けられた抜止ロック部材４０１は、前記前扉本体３００の裏面側において、表示パネル部３５０に形成された前記突起部３７１、３７２の係止爪３７３、３７４が前記前扉本体３００に形成された前記突起部挿入孔３３１、３３２の縁部３３７にそれぞれ係止した状態で、挿入部４０２が前記突起部３７１、３７２の下面と突起部挿入孔３３１、３３２の下側内壁との間の隙間３３６に挿入され、前記突起部３７１、３７２に対して、前記係止爪３７３、３７４の前記係止を解除する側への湾曲を抑制するので、筐体２に前扉本体３００を施錠した状態で前扉本体３００と表示パネル部３５０の隙間から薄型の不正器具が挿入されて表示パネル部３５０が外されるのを防止することができる。
【０１１８】
また、スロットマシン１によれば、前扉本体３００から表示パネル部３５０を外すために抜止ロック部材４０１を突起部挿入孔３３１、３３２から引き抜く際には、前扉本体３００の裏側からつまみ部４０４の指挿入孔４４０に作業者の指を挿入して作業者が手前側に引くことで抜止ロック部材４０１の挿入部４０２を容易に弾性変形させて引き抜くことができる。
【０１１９】
さらに、スロットマシン１によれば、抜止ロック部材４０１の挿入部４０２が前記突起部３７１、３７２の他面と前記突起部挿入孔３３１、３３２の内壁との間の隙間３３６に挿入された状態で、抜止ロック部材４０１の挿入部４０２に設けられた係止爪４１４が前記前扉本体３００の表面側における前記突起部挿入孔３３１、３３２の縁部３３８に係止するので、突起部挿入孔３３１、３３２に対する抜止ロック部材４０１の取り付けを更に強固にすることができる。
【０１２０】
尚、図１乃至図１３に示した実施形態では、突起部挿入孔３３１、３１２の両方に抜止ロック部材を設ける構成としたが、抜止ロック部材は突起部挿入孔３３１、３１２の片方のみに設ける構成にしてもよい。
【産業上の利用可能性】
【０１２１】
本発明は、スロットマシンに限らず、パチンコ機等の他の遊技機に応用することができる。
【図面の簡単な説明】
【０１２２】
【図１】本発明の一実施形態によるスロットマシンの外観構造を表した斜視図である。
【図２】本発明の一実施形態によるスロットマシンの内部構造を表した図である。
【図３】本発明の一実施形態によるスロットマシンの制御システムを表したブロック図である。
【図４】本発明の一実施形態によるスロットマシンの下部パネル及びその周辺部の分解斜視図である。
【図５】本発明の一実施形態による下部パネルの裏側から見た突起部挿入孔及びその周辺部の分解斜視図である。
【図６】本発明の一実施形態による下部パネルの裏側から見た突起部挿入孔及びその周辺部の背面図である。
【図７】本発明の一実施形態による抜止ロック部材の斜視図である。
【図８】本発明の一実施形態による抜止ロック部材の断面図である。
【図９】本発明の一実施形態による下部パネルの裏側から見た突起部挿入孔３３２及びその周辺部の突起部を挿入した直後の状態を示す斜視図である。
【図１０】本発明の一実施形態による下部パネルの裏側から見た突起部挿入孔及びその周辺部の抜止ロック部材を取り付けた状態を示す斜視図である。
【図１１】本発明の一実施形態による突起部挿入孔に抜止ロック部材を取り付ける方法を示す説明図である。
【図１２】本発明の一実施形態による下部パネルの突起部挿入孔及びその周辺部の抜止ロック部材を取り付けた状態を示す断面図である。
【図１３】本発明の一実施形態による下部パネル部の突起部挿入孔から抜止ロック部材を引き抜いている状態を示す断面図である。
【図１４】本発明の一実施形態による下部パネルの突起部挿入孔及びその周辺部の突起部を押し下げた状態の断面図である。
【符号の説明】
【０１２３】
１…スロットマシン、２…筐体、３…前扉、４…上部パネル部、
５…下部パネル部、６ａ…受皿部、６…受皿ユニット、７…操作卓、
８…開口、２０…主制御基板、２１…ホッパ装置、２２…補助貯留部、
２３…主電源装置、２４…電源装置基板、２５…外部集中端子基板、
３０、３１ａ、３１ｂ…発光駆動部、３２ａ、３２ｂ…スピーカ、
３３…中央表示基板、３４…メダル選別装置、
３４ａ…メダルセンサ、３５…ガイド部材、３６…ガイド部材、
３７…ガイド部材、３８ａ、３８ｂ…スピーカ、
３９…放電灯点灯装置、４０…サブ制御基板、４１…パネル面、
４２…表示窓、４３…遊技状態表示部、４４…操作アシスト表示部、
４５…数値情報表示部、４６、４７ａ、４７ｂ…演出用照明部、
４８ａ、４８ｂ…演出用放音部、４９…液晶表示装置、
４９ａ…表示窓、５０…パネル板、５１…表示パネル、
５２ａ、５２ｂ…演出用照明部、６１…メダル払出口、
６２ａ、６２ｂ…左右の演出用放音部、７１…メダル投入部、
７２…メダル投入口、７３、７４…ベットボタン、
７５…スタートレバー、７６ａ、７６ｂ、７６ｃ…ストップボタン、
７７…精算ボタン、７８…鍵穴、１００…リールユニット、
１０１ａ、１０１ｂ、１０１ｃ…リール、２００…ＣＰＵ、
２０１…記憶部、２０２…システムプログラム、
２０３…メダルクレジット手段、２０４…入賞抽選テーブル、
２０５…内部抽選フラグ、２１０…基板ケース、
２２０…基板ケース、２２１…孔、２３０…演出装置、
３００…前扉本体、３０１…凹部、３１１、３１２…放電灯、
３１３、３１４、３１５、３１６…取り付け金具、３２０…配線、
３２０ａ、３２０ｂ、３２０ｃ、３２０ｄ…配線、
３２１ａ、３２１ｂ…凹部、３２２ａ、３２２ｂ…配線基板、
３２３、３２４、３２５…係止部挿入孔、
３３１、３３２…突起部挿入孔、３３３…段部、３３４…傾斜面、
３３５…下側内壁、３３６…隙間、３３７…縁部、３３８…縁部、
３５０…表示パネル部、３５１…枠部材、
３５２ａ、３５２ｂ…ランプカバー、３５３…前側保護パネル、
３５４…絵柄印刷パネル、３５５…後側保護パネル、３５６…絵、
３５７…商品名、３６１…開口部、
３６２ａ、３６３ａ、３６２ｂ、３６３ｂ…開口部、
３６４、３６５、３６６…係止部、３７１、３７２…突起部、
３７３、３７４…係止爪、３７５…上面、３７６…下面、
４０１…抜止ロック部材、４０２…挿入部、
４０３…突起部保持部、４０４…つまみ部、４１１…傾斜面、
４１２、４１３…傾斜面、４１４…係止爪、４１５…段部、
４２１…凹部、４２２、４２３…側壁、４２４…後壁、
４２５、４２６…段部、４２７、４２８…段部、
４２９、４３０…段部挿入部、４３１、４３２…背面側左右両隅、
４４０…指挿入孔、４４１、４４２…背面側左右両隅、４４３…上隅、
５００…指
【図１】
0004646034.tif 000002
【図２】
0004646034.tif 000003
【図３】
0004646034.tif 000004
【図４】
0004646034.tif 000005
【図５】
0004646034.tif 000006
【図６】
0004646034.tif 000007
【図７】
0004646034.tif 000008
【図８】
0004646034.tif 000009
【図９】
0004646034.tif 000010
【図１０】
0004646034.tif 000011
【図１１】
0004646034.tif 000012
【図１２】
0004646034.tif 000013
【図１３】
0004646034.tif 000014
【図１４】
0004646034.tif 000015